(57)【特許請求の範囲】
【請求項１】
角パイプ状となされたスタッドの端部に取り付けられ、このスタッドの幅よりも幅広く形成された断面コ字状の溝形ランナに配置される金具であって、
溝形ランナのフランジ部の間隔に相当する長さに形成されたリップ溝形鋼からなり、その略中間部に切込みが設けられ、この切込みを挟んだ半体部分は、リップ部分が立ち上げられてスタッドの端面小口に差し込まれる挿入部が形成されるとともに、この挿入部の一部分は、外側に膨らんだバネ片を形成するようになされ、
スタッドの端面小口に挿入部を挿入した状態で、挿入部とバネ片とでスタッドを挟持固定するようになされ
この挿入部がスタッドの端面小口に挾持固定された状態で、溝形ランナに嵌め込まれることで、溝形ランナの一側寄りのフランジ部または他側寄りのフランジ部に偏移した状態でスタッドが立設できるようになされたことを特徴とするスタッド取付金具。
【請求項２】
樹脂材料によって形成されてなる請求項１記載のスタッド取付金具。
【発明の詳細な説明】
【０００１】
【発明の属する技術分野】
本発明は、角パイプ状のスタッドを、断面コ字状の溝形ランナの一側寄りのフランジ部または他側寄りのフランジ部に、偏移状態で立設するための金具に関するものである。
【０００２】
【従来の技術】
従来より、床部と天井部とのそれぞれに、対向するように断面コ字状の溝形ランナを設け、この溝形ランナ間に、リップ溝形鋼からなるスタッドを立設させて壁下地を形成することが行われている。
【０００３】
この際、図５に示すように、スタッドａの端部側方に、このスタッドａを挟持するようになされた金具ｂを取り付け、このスタッドａおよび金具ｂを、スタッドａの幅よりも幅広い間隔の溝形ランナｃに嵌め込むことで、溝形ランナｃの一側寄りのフランジ部ｄまたは他側寄りのフランジ部ｅにスタッドａを偏移させて立設させることが行われている。
【０００４】
【発明が解決しようとする課題】
しかし、上記従来の金具ｂは、単に溝形ランナｃとスタッドａとの間隙を埋めるといった程度の固定力で、スタッドａの端部側方に取り付けられるものであったため、スタッドａおよび金具ｂを溝形ランナｃ内に嵌め込む際、金具ｂが、溝形ランナｃのフランジ部ｄ、ｅに触れてずれたり外れたりし易くなるといった不都合を生じることとなる。
【０００５】
また、天井部分に設けられた溝形ランナｃ内に、このスタッドａおよび金具ｂを嵌め込もうとする場合も、金具ｂが、スタッドａから外れて落下したりしてしまうといった不都合を生じることとなる。
【０００６】
本発明は、係る実情に鑑みてなされたものであって、スタッドに対する固定力に優れ、かつ、溝形ランナに対して偏移状態で施工することができるスタッド取付金具を提供することを目的としている。
【０００７】
【課題を解決するための手段】
上記課題を解決するための本発明のスタッド取付金具は、角パイプ状となされたスタッドの端部に取り付けられ、このスタッドの幅よりも幅広く形成された断面コ字状の溝形ランナに配置される金具であって、溝形ランナのフランジ部の間隔に相当する長さに形成されたリップ溝形鋼からなり、その略中間部に切込みが設けられ、この切込みを挟んだ半体部分は、リップ部分が立ち上げられてスタッドの端面小口に差し込まれる挿入部が形成されるとともに、この挿入部の一部分は、外側に膨らんだバネ片を形成するようになされ、スタッドの端面小口に挿入部を挿入した状態で、挿入部とバネ片とでスタッドを挟持固定するようになされこの挿入部がスタッドの端面小口に挾持固定された状態で、溝形ランナに嵌め込まれることで、溝形ランナの一側寄りのフランジ部または他側寄りのフランジ部に偏移した状態でスタッドが立設できるようになされたものである。
【０００９】
さらに、上記課題を解決するための本発明のスタッド取付金具は、樹脂材料によって形成されてなるものである。
【００１０】
【発明の実施の形態】
以下、本発明の実施の形態を図面を参照して説明する。
【００１１】
図１は、スタッド取付金具１の全体構成の概略を示し、図２は同取付金具１を取り付けたスタッド２を溝形ランナ３に嵌め込んだ施工状態を示している。
【００１２】
すなわち、この取付金具１は、溝形ランナ３のフランジ部３１、３２の間隔Ｄに相当する長さのリップ溝形鋼からなり、その一端部から、スタッド２の長側面２１の幅Ｗに相当する距離の位置に切込部１１が設けられている。この切込部１１までの略半体部分は、リップ部が立ち上げられてスタッド２の挿入部１２が形成されている。残りの略半体部分は、間隙調整部１３となされている。また、挿入部１２には、外側に膨らんだバネ片１４が形成されている。
【００１３】
このようにして構成される取付金具１は、スタッド２の端面小口に挿入部１２を挿入した状態で、挿入部１２とバネ片１４とでスタッド２を挟持固定するように取り付けられる。この取付状態で、取付金具１は、挿入部１２をスタッド２の端面小口に挿入することによって取り付けられるので、安定した固定力が得られる。しかも、挿入部１２とバネ片１４とがスタッド２の端面小口の部分を挟持固定することによってこの固定状態が強固になる。
【００１４】
この取付金具１は、図３に示すように、同じ方向に間隙調整部１３が位置するように、スタッド２の両端部に取り付けられる。
【００１５】
そして、このようにして取付金具１を取り付けたスタッド２は、溝形ランナ３に嵌め込まれる。この際、取付金具１は、溝形ランナ３のフランジ部３１、３２の間隔Ｄに相当する長さとなされ、取付金具１全体が溝形ランナ３内に位置決めされるので、従来のように、溝形ランナ３内にスタッド２が嵌め込まれ、残りの間隙を取付金具で埋めるといった構成のものと比較すると安定した施工状態が得られる。この取付金具１を取り付けたスタッド２は、図４に示すように、対向する溝形ランナ３間に立設させることによって遮音内壁下地Ａとなる。また、同図に示すように、スタッド２は、溝形ランナ３の一側寄りのフランジ部３１または他側寄りのフランジ部３２に偏移するように交互に嵌め込まれる。さらに、これらのスタッド２間を縫うように、吸音材４が設けられる。これにより、遮音内壁下地Ａは、一側面と他側面とで、スタッド２が吸音材４によって完全に分断された遮音構造のものとすることができる。
【００１６】
なお、本実施の形態では、取付金具１は、リップ溝形鋼を加工したようなもので構成されているが、この取付金具１の形状としては、溝形ランナ３内に全体が嵌め込まれた状態で、スタッド２の端面小口に挿入されるようになされたものであれば、特にこのようなリップ溝形鋼を加工したようなものに限定されるものではない。
【００１７】
また、挿入部１２間隙調整部１３の大きさとしては、使用するスタッド２や溝形ランナ３に応じて適宜変更されたものであっても良い。
【００１８】
さらに、本実施の形態では、取付金具１は、鋼材によって形成されているが、特にこの取付金具１を構成する材料としては、鋼材に限定されるものでは無く、ＦＲＰ樹脂やポリカーボネート樹脂、その他の各種エンジニアリングプラスチック材料からなる樹脂材料によって形成されたものであっても良い。このような樹脂材料からなる取付金具１は、鋼材からなる取付金具１と比較した場合、音の伝播を防止して優れた遮音構造の遮音内壁下地Ａを構成することができる。
【００１９】
【発明の効果】
以上述べたように、本発明によると、取付金具は、挿入部をスタッドの端面小口に差込み接続するようになされているので、従来のように、スタッドの端部側方に挟持するようになされた取付金具と比べると、スタッドに対する優れた固定力が得られる。したがって、天井面に設けた溝形ランナにスタッドを嵌め込む場合でも、このスタッドに取り付けた取付金具が落下するといったことも無く、安定した固定力が得られる。
【００２０】
また、取付金具は、溝形ランナの幅に相当する長さに形成されており、取付金具全体が溝形ランナに嵌め込まれ、この取付金具にスタッドが取り付けられているので、従来のように、溝形ランナ内にスタッドが設けられ、その間隙を埋めるように取付金具が設けられたものと比較すると、優れた施工安定性が得られる。
【００２１】
さらに、樹脂材料によって形成した取付金具の場合、上述した効果に加え、音の伝播を防止した優れた遮音構造の内壁下地を構成することができることとなる。
【図面の簡単な説明】
【図１】本発明に係るスタッド取付金具の全体構成の概略を示す斜視図である。
【図２】本発明に係るスタッド取付金具をスタッドに取り付けて溝形ランナに嵌め込んだ状態を示す部分斜視図である。
【図３】スタッドの両端部にスタッド取付金具を取り付けた状態を示す斜視図である。
【図４】（ａ）はスタッド取付金具を取り付けたスタッドによって構成される遮音内壁下地を示す斜視図、（ｂ）は同遮音内壁下地に吸音材を設けた状態を示す斜視図である。
【図５】従来のスタッド取付金具をスタッドに取り付けて溝形ランナに嵌め込んだ状態を示す部分斜視図である。
【符号の説明】
１  スタッド取付金具
１２  挿入部
１４  バネ片
２  スタッド
３  溝形ランナ
３１  フランジ部
３２  フランジ部
Ｄ  間隔
Ｗ  幅
【図１】
0003576843.tif 000002
【図２】
0003576843.tif 000003
【図３】
0003576843.tif 000004
【図４】
0003576843.tif 000005
【図５】
0003576843.tif 000006